(57)【要約】【課題】  簡易な構成で、安定した光ピックアップのサーボ動作を行い得る光ディスク装置を実現する。【解決手段】  ＲＦ信号に基づいてサーボエラー信号を生成するサーボエラー信号生成手段２４と、記録時において記録データに応じた駆動信号を生成し光ピックアップの発光手段を駆動して当該記録データを光ディスクに記録する駆動手段１３と、記録データに基づいて発光手段が光ビームを高出力で照射している期間を示す高出力光量照射期間信号を生成する照射期間信号生成手段９と、ＲＦ信号に基づいて光ディスクのディフェクトを検出し、当該ディフェクトの有無を示すディフェクト信号を出力するディフェクト検出手段２３と、高出力光量照射期間信号及び上記ディフェクト信号に基づいて、ディフェクトを検出している期間及び発光手段が光ビームを高出力で照射している期間、サーボエラー信号を補正する信号補正手段２４とを光ディスク装置に設けた。【選択図】        図１
2006079674.tif 000002
【特許請求の範囲】
【請求項１】
光ディスクに対してデータの記録及び再生を行う光ディスク装置において、
上記光ディスクに対して光ビームを照射するとともに、当該光ディスクで反射された光ビームを受光する光ピックアップと、
上記光ピックアップの受光手段から出力されるＲＦ信号に基づいてサーボエラー信号を生成するサーボエラー信号生成手段と、
上記サーボエラー信号に基づいて、上記光ピックアップのフォーカス及びトラッキング制御を行うためのサーボ制御信号を生成するサーボ制御信号生成手段と、
記録時において、記録データに応じた駆動信号を生成し上記光ピックアップの発光手段を駆動することにより、当該記録データを上記光ディスクに記録する駆動手段と、
記録時において、上記記録データに基づいて上記発光手段が上記光ビームを高出力で照射している期間を示す高出力光量照射期間信号を生成する照射期間信号生成手段と、
上記光ピックアップの受光手段から出力されるＲＦ信号に基づいて上記光ディスクのディフェクトを検出し、当該ディフェクトの有無を示すディフェクト信号を出力するディフェクト検出手段と、
上記高出力光量照射期間信号及び上記ディフェクト信号に基づいて、上記ディフェクトを検出している期間及び上記発光手段が上記光ビームを高出力で照射している期間、上記サーボエラー信号を補正する信号補正手段と
を具えることを特徴とする光ディスク装置。
【請求項２】
上記信号補正手段は、上記ディフェクトを検出している期間及び上記発光手段が上記光ビームを高出力で照射している期間、上記サーボエラー信号をサンプルホールドした信号を出力することにより当該サーボエラー信号を補正する
ことを特徴とする請求項１に記載の光ディスク装置。
【請求項３】
上記信号補正手段は、上記ディフェクトを検出している期間及び上記発光手段が上記光ビームを高出力で照射している期間、上記サーボエラー信号の高周波成分を遮断することにより当該サーボエラー信号を補正する
ことを特徴とする請求項１に記載の光ディスク装置。
【請求項４】
光ディスクに対してデータの記録及び再生を行う光ディスク装置の制御装置において、
上記光ディスクに対して光ビームを照射するとともに当該光ディスクで反射された光ビームを受光する光ピックアップの受光手段から出力されるＲＦ信号に基づいて、サーボエラー信号を生成するサーボエラー信号生成手段と、
上記サーボエラー信号に基づいて、上記光ピックアップのフォーカス及びトラッキング制御を行うためのサーボ制御信号を生成するサーボ制御信号生成手段と、
記録時において、記録データに応じた駆動信号を生成し上記光ピックアップの発光手段を駆動することにより、当該記録データを上記光ディスクに記録する駆動手段と、
記録時において、上記記録データに基づいて上記発光手段が上記光ビームを高出力で照射している期間を示す高出力光量照射期間信号を生成する照射期間信号生成手段と、
上記光ピックアップの受光手段から出力されるＲＦ信号に基づいて上記光ディスクのディフェクトを検出し、当該ディフェクトの有無を示すディフェクト信号を出力するディフェクト検出手段と、
上記高出力光量照射期間信号及び上記ディフェクト信号に基づいて、上記ディフェクトを検出している期間及び上記発光手段が上記光ビームを高出力で照射している期間、上記サーボエラー信号を補正する信号補正手段と
を具えることを特徴とする光ディスク装置の制御装置。
【請求項５】
光ディスクに対してデータの記録及び再生を行う光ディスク装置の制御方法において、
光ピックアップの受光手段から出力されるＲＦ信号に基づいてサーボエラー信号を生成し、
上記サーボエラー信号に基づいて上記光ピックアップの位置制御を行うためのサーボ制御信号を生成し、
上記光ピックアップの受光手段から出力されるＲＦ信号に基づいて上記光ディスクのディフェクトを検出し、当該ディフェクトの有無を示すディフェクト信号を生成し、
記録時において、記録データに基づいて上記光ピックアップの発光手段が光ビームを高出力で照射している期間を示す高出力光量照射期間信号を生成し、
上記高出力光量照射期間信号及び上記ディフェクト信号に基づいて、上記ディフェクトを検出している期間及び上記発光手段が上記光ビームを高出力で照射している期間、上記サーボエラー信号を補正する
ことを特徴とする光ディスク装置の制御方法。
【発明の詳細な説明】
【技術分野】
【０００１】
本発明は光ディスク装置に関し、記録及び再生を行う光ディスク装置に適用して好適なものである。
【背景技術】
【０００２】
光ディスク装置においては、光ピックアップが光ディスクの盤面上のディフェクト（傷、黒点など）を通過する際、当該ディフェクトの影響によって光ピックアップから出力されるサーボ信号の波形に乱れが生じる。そして、このような波形に乱れを有するサーボ信号に基づいて光ピックアップのサーボ制御を行った場合、トラック飛び等の誤った制御を行ってしまうという問題がある。
【０００３】
このため光ディスク装置では、ピックアップから出力されるＲＦ信号の波形を監視し、当該波形に異常が生じた場合、ディフェクトの可能性があるものとしてサーボ信号をホールドする機能が設けられている。
【０００４】
図３は従来の光ディスク装置１の構成を示し、当該光ディスク装置１全体を制御する制御部２に対し、信号処理部３、ＲＦフロントエンド部４及びサーボ制御部５が接続されて構成されている。そして信号処理部３、ＲＦフロントエンド部４及びサーボ制御部５によって、当該光ディスク装置１を制御するための制御装置が構成される。
【０００５】
すなわち制御部２は、サーボ制御部５のディスク回転制御部６を介してスピンドルモータ４２を回転させ、ターンテーブル（図示せず）に載置された光ディスク５０を回転駆動する。また制御部２は、サーボ制御部５の光ピックアップ制御部７を介してスレッドモータ４１を回転させ、光ピックアップ４０を光ディスク５０の半径方向に移動させる。さらに制御部２は信号処理部３及びＲＦフロントエンド部４を制御し、光ディスク５０に対するデータの読出及び書込を実行させる。
【０００６】
すなわち再生時においてＲＦフロントエンド部４のレーザ制御部１３は、低光量の再生パワーでの発光を指示する駆動信号を生成して光ピックアップ４０に供給する。光ピックアップ４１のレーザダイオードは駆動信号に応じた低出力の再生パワーで連続発光して光ディスク５０に対し光ビームを照射する。そして光ピックアップ４０は、ディスク５０によって反射された戻り光をＰＤＩＣ（Photo Detecting IC）で受光して再生ＲＦ信号を生成し、ＲＦフロントエンド部４に供給する。ＲＦフロントエンド部４のデータ信号生成部１４は、再生ＲＦ信号から再生データを生成し、信号処理部３のデータデコード部８に供給する。データデコード部８は再生データをデコードして外部に出力する。
【０００７】
このときＲＦフロントエンド部４のサーボ信号生成部１５は、再生信号からサーボエラー信号を生成して信号処理部３のサーボ信号処理部１０に供給する。サーボ信号処理部１０はサーボエラー信号に基づいて、光ピックアップの位置制御を行うためのサーボ制御信号を生成しサーボ制御部５に供給する。サーボ制御部５の光ピックアップ制御部７は、サーボ制御信号に応じてスレッドモータ４１及び光ピックアップ４０の２軸アクチュエータを制御し、フォーカス及びトラッキングの制御を行う。
【０００８】
ここで上述したように、光ピックアップがディフェクトを通過するとサーボエラー信号の波形に乱れが生じ（図４（Ｂ））、これにより誤ったサーボ制御を行ってしまう可能性がある。このためＲＦフロントエンド部４のディフェクト信号生成部１６は、再生ＲＦ信号（図４（Ａ））を常に監視しており、ディフェクト通過による再生ＲＦ信号の波形変化を検出すると、ディフェクトの有無を示すディフェクト信号の信号レベルを、ディフェクトが発生していることを示す「Ｈｉ」にする（図４（Ｃ））。
【０００９】
信号処理部３のディフェクトホールド部１１は、ディフェクト信号の信号レベル「Ｈｉ」に応じて、サーボ信号生成部１５から供給されているサーボエラー信号を前値ホールド（サンプルホールド）したり、あるいはサーボ制御信号を中点電位で出力する（図４（Ｄ））ことにより、サーボエラー信号におけるディフェクト通過の影響を排除し、トラック飛び等を防止するようになされている。実際上このディフェクトホールド部１１は、サーボループフィルタ（位相進み遅れ補償）段に設けられている。
【００１０】
一方記録時において、信号処理部３のデータエンコード部９は、外部から入力された記録データをエンコードしてＲＦフロントエンド部４に供給する。ＲＦフロントエンド部４のレーザ制御部１３は、記録データに応じた駆動信号を生成して光ピックアップ４０に供給する。光ピックアップ４０は記録データに応じて、光ビームを高出力のパワー（マーク形成時）と低出力のパワー（マーク非形成時）を随時切り替えながら照射することにより、光ディスク５０にデータを記録していく。この記録時においても光ピックアップ４０は、光ディスク５０からの戻り光をＰＤＩＣで受光して再生ＲＦ信号を生成し、ＲＦフロントエンド部４に供給する。
【００１１】
ＲＦフロントエンド部４のサーボ信号生成部１５は、再生信号からサーボエラー信号を生成して信号処理部３のサーボ信号処理部１０に供給する。サーボ信号処理部１０はサーボエラー信号に基づいて、光ピックアップの位置制御を行うためのサーボ制御信号を生成しサーボ制御部５に供給する。そしてサーボ制御部５の光ピックアップ制御部７は、サーボ制御信号に応じてスレッドモータ４１及び光ピックアップ４０の２軸アクチュエータを制御し、フォーカス及びトラッキングを制御する。
【００１２】
ここで、上述したように記録時においては、マークの形成時と非形成時とで光ビームのパワーが変化し（図５（Ｂ））、これに応じて光ディスク５０からの戻り光光量も変化してしまい、サーボエラー信号の信号レベルも変動して安定したサーボ動作を行い得なくなるという問題がある。
【００１３】
このような戻り光の光量変動の影響を排除するため、マークの形成タイミングに同期してサーボエラー信号をサンプルホールドすることにより、当該サーボエラー信号の信号レベル変動を排除するようにした光ディスク装置がある（例えば、特許文献１参照）。
【００１４】
すなわち図３において、信号処理部３のデータエンコード部９は光ビームが高出力になるマーク形成タイミングに同期したサンプルホールド信号（図５（Ｃ））を生成し、これをサーボ信号生成部１５に供給する。サーボ信号生成部１５は図５（Ｄ）に示すように、サンプルホールド信号に応じてサーボエラー信号をサンプルホールドして出力することにより、マーク形成時／非形成時のサーボエラー信号の信号レベル変化を排除し、連続的なサーボエラー信号を出力するようになされている。
【特許文献１】特開平４−２６３１２２号公報
【発明の開示】
【発明が解決しようとする課題】
【００１５】
しかしながら上述した構成の光ディスク装置１では、サーボ動作の安定化機能として、ディフェクトの影響を排除するためのディフェクト信号生成部１６及びディフェクトホールド部１１がそれぞれＲＦフロントエンド部４及び信号処理部３に設けられているとともに、マーク形成時の影響を排除するためのサンプルホールド信号生成機能及びサンプルホールド機能がそれぞれデータエンコード部９及びサーボ信号生成部１５に設けられており、全体として光ディスク装置１の構成が複雑になっているという問題があった。
【００１６】
本発明は以上の点を考慮してなされたもので、簡易な構成で安定した光ピックアップのサーボ動作を行い得る光ディスク装置を提案しようとするものである。
【課題を解決するための手段】
【００１７】
かかる課題を解決するため本発明においては、光ディスクに対してデータの記録及び再生を行う光ディスク装置において、光ディスクに対して光ビームを照射するとともに、当該光ディスクで反射された光ビームを受光する光ピックアップと、光ピックアップの受光手段から出力されるＲＦ信号に基づいてサーボエラー信号を生成するサーボエラー信号生成手段と、サーボエラー信号に基づいて、光ピックアップのフォーカス及びトラッキング制御を行うためのサーボ制御信号を生成するサーボ制御信号生成手段と、記録時において、記録データに応じた駆動信号を生成し光ピックアップの発光手段を駆動することにより、当該記録データを光ディスクに記録する駆動手段と、記録時において、記録データに基づいて発光手段が光ビームを高出力で照射している期間を示す高出力光量照射期間信号を生成する照射期間信号生成手段と、光ピックアップの受光手段から出力されるＲＦ信号に基づいて光ディスクのディフェクトを検出し、当該ディフェクトの有無を示すディフェクト信号を出力するディフェクト検出手段と、高出力光量照射期間信号及び上記ディフェクト信号に基づいて、ディフェクトを検出している期間及び発光手段が光ビームを高出力で照射している期間、サーボエラー信号を補正する信号補正手段とを光ディスク装置に設けた。
【００１８】
信号補正手段がディフェクト信号及び高出力光量照射期間信号の双方に基づいてサーボエラー信号を補正するようにしたことにより、簡易な構成で、ディフェクトの影響及び記録時における光ビームの光量変動の影響を排除し、簡易な構成で安定した光ピックアップのサーボ動作を行うことができる。
【発明の効果】
【００１９】
本発明によれば、ディフェクト信号及び高出力光量照射期間信号の双方に基づいて、  信号補正手段がサーボエラー信号を補正するようにしたことにより、簡易な構成で、ディフェクトの影響及び記録時における光ビームの光量変動の影響を排除し、簡易な構成で安定した光ピックアップのサーボ動作を行い得る光ディスク装置を実現することができる。
【発明を実施するための最良の形態】
【００２０】
以下、図面について、本発明の一実施の形態を詳述する。
【００２１】
（１）第１の実施の形態
図３との対応部分に同一符号を付して示す図１において、２０は全体として本発明の第１の実施の形態の光ディスク装置を示し、信号処理部２１及びＲＦフロントエンド部２２の内部構成が異なる以外は光ディスク装置１（図３）と同様の構成を有している。
【００２２】
再生時においてＲＦフロントエンド部２２のレーザ制御部１３は、低光量の再生パワーでの発光を指示する駆動信号を生成して光ピックアップ４０に供給する。発光手段としての光ピックアップ４０のレーザダイオードは、駆動信号に応じた低出力の再生パワーで連続発光して光ディスク５０に対し光ビームを照射する。そして光ピックアップ４０は、ディスク５０によって反射された戻り光を受光手段としてのＰＤＩＣで受光して再生ＲＦ信号を生成し、ＲＦフロントエンド部２２に供給する。ＲＦフロントエンド部２２のデータ信号生成部１４は、再生ＲＦ信号から再生データを生成し、信号処理部２１のデータデコード部８に供給する。データデコード部８は再生データをデコードして外部に出力する。
【００２３】
このときＲＦフロントエンド部２２のサーボ信号生成部２４は、再生信号からサーボエラー信号を生成して信号処理部２１のサーボ信号処理部１０に供給する。サーボ信号処理部１０はサーボエラー信号に基づいて、光ピックアップの位置制御を行うためのサーボ制御信号を生成しサーボ制御部５に供給する。サーボ制御部５の光ピックアップ制御部７は、サーボ制御信号に応じてスレッドモータ４１及び光ピックアップ４０の２軸アクチュエータを制御し、フォーカス及びトラッキングの制御を行う。
【００２４】
ここでＲＦフロントエンド部２２のディフェクト信号生成部２３は、再生ＲＦ信号に基づいて光ディスク５０のディフェクトを常に監視している。そしてディフェクト検出手段としてのディフェクト信号生成部２３が、ディフェクトの有無を示すディフェクト信号を同じＲＦフロントエンド部２２内のサーボエラー信号生成部２４に供給している点で、従来の光ディスク装置１（図３）と相違する。
【００２５】
すなわちディフェクト検出手段としてのディフェクト信号生成部２３は、ディフェクト通過による再生ＲＦ信号の波形変化を検出すると、サーボエラー信号生成部２４に供給しているディフェクト信号の信号レベルを、ディフェクトが発生していることを示す「Ｈｉ」にする。
【００２６】
信号補正手段としてのサーボエラー信号生成部２４は、ディフェクト信号の信号レベル「Ｈｉ」に応じてサーボエラー信号をサンプルホールドして出力することにより、サーボエラー信号におけるディフェクト通過の影響を排除してトラック飛び等を防止する。
【００２７】
一方記録時において、信号処理部２１のデータエンコード部９は、外部から入力された記録データをエンコードしてＲＦフロントエンド部２２に供給する。駆動手段としてのレーザ制御部１３は、記録データに応じた駆動信号を生成して光ピックアップ４０に供給する。光ピックアップ４０は記録データに応じて、光ビームを高出力の記録パワー（マーク形成時）と低出力の再生パワー（マーク非形成時）を随時切り替えながら照射することにより、光ディスク５０にデータを記録していく。この記録時においても光ピックアップ４０は、光ディスク５０からの戻り光をＰＤＩＣで受光して再生ＲＦ信号を生成し、ＲＦフロントエンド部２２に供給する。
【００２８】
ＲＦフロントエンド部２２のサーボ信号生成部２４は、再生信号からサーボエラー信号を生成して信号処理部２１のサーボ信号処理部１０に供給する。サーボ信号処理部１０はサーボエラー信号に基づいて、光ピックアップの位置制御を行うためのサーボ制御信号を生成しサーボ制御部５に供給する。そしてサーボ制御部５の光ピックアップ制御部７は、サーボ制御信号に応じてスレッドモータ４１及び光ピックアップ４０の２軸アクチュエータを制御し、当該光ピックアップ４０から照射される光ビームのスポットを光ディスク５０のトラック上に位置させる。
【００２９】
このとき、信号処理部２１に設けられている照射期間信号生成手段としてのデータエンコード部９は、光ビームが高出力になるマーク形成タイミングに同期した、高出力照射期間信号としてのサンプルホールド信号を生成し、これをＲＦフロントエンド部２２のサーボ信号生成部２４に供給する。信号補正手段としてのサーボ信号生成部２４はサンプルホールド信号に応じてサーボエラー信号をサンプルホールドして出力することにより、マーク形成時／非形成時のサーボエラー信号の信号レベル変化を排除し、連続的なサーボエラー信号を出力する。
【００３０】
かくしてこの光ディスク装置２０では、再生時におけるディフェクトの影響や記録時における光ビームの光量変動の影響を排除して、安定したサーボ動作を行うようになされている。
【００３１】
以上の構成において、この光ディスク装置２０では、ディフェクトの検出に応じたディフェクト信号と、マーク形成タイミングに応じたサンプルホールド信号の双方に基づいて、サーボ信号生成部２４がサーボエラー信号をサンプルホールドして、信号処理部２１に出力するようにした。
【００３２】
このため、再生時におけるディフェクトの影響を排除するための機能と、記録時における光ビームの光量変動の影響を排除するための機能とを、ＲＦフロントエンド部２２のサーボ信号生成部２４が一括して行うことができ、これにより、従来の光ディスク装置１（図３）に設けられていたディフェクトホールド部１１を廃して光ディスク装置２０の構成を簡素化することができる。
【００３３】
以上の構成によれば、ＲＦフロントエンド部２２のサーボ信号生成部２４が、ディフェクトの検出に応じたディフェクト信号及びマーク形成タイミングに応じたサンプルホールド信号の双方に基づいてサーボエラー信号をサンプルホールドし、信号処理部２１のサーボ信号処理部１０に供給するようにしたことにより、簡易な構成で、再生時におけるディフェクトの影響及び記録時における光ビームの光量変動の影響を排除することができる。
【００３４】
（２）第２の実施の形態
図１及び図３との対応部分に同一符号を付して示す図２において、３０は全体として本発明の第２の実施の形態の光ディスク装置を示し、信号処理部３１及びＲＦフロントエンド部３２の内部構成が異なる以外は光ディスク装置２０と同様の構成を有している。
【００３５】
再生時においてＲＦフロントエンド部３２のサーボ信号生成部３５は、再生信号からサーボエラー信号を生成して信号処理部３１のサーボ信号処理部３３に供給する。サーボ信号処理部３３はサーボエラー信号に基づいて、光ピックアップの位置制御を行うためのサーボ制御信号を生成しサーボ制御部５に供給する。サーボ制御部５の光ピックアップ制御部７は、サーボ制御信号に応じてスレッドモータ４１及び光ピックアップ４０の２軸アクチュエータを制御し、フォーカス及びトラッキングの制御を行う。
【００３６】
ここで、ＲＦフロントエンド部３２のディフェクト信号生成部３６は、再生ＲＦ信号に基づいて光ディスク５０のディフェクトを常に監視しており、ディフェクトの有無を示すディフェクト信号を信号処理部３１のサーボホールド部３４に供給している。
【００３７】
すなわちディフェクト検出手段としてのディフェクト信号生成部３６は、ディフェクト通過による再生ＲＦ信号の波形変化を検出すると、ディフェクト信号の信号レベルをディフェクトが発生していることを示す「Ｈｉ」にする。
【００３８】
信号処理部３１の信号補正手段としてのサーボホールド部３４は、ディフェクト信号の信号レベル「Ｈｉ」に応じて、サーボ信号生成部３５から供給されているサーボエラー信号をサンプルホールドすることにより、当該サーボエラー信号におけるディフェクト通過の影響を排除し、トラック飛び等を防止する。
【００３９】
一方記録時において、信号処理部３１に設けられている照射期間信号生成手段としてのデータエンコード部９は、光ビームが高出力になるマーク形成タイミングに同期した高出力照射期間信号としてのサンプルホールド信号を生成する。そしてデータエンコード部９が、サンプルホールド信号を同じ信号処理部３１内のサーボホールド部３４に供給している点で、従来の光ディスク装置１（図３）及び第１の実施の形態の光ディスク装置２０（図１）と相違する。
【００４０】
信号補正手段としてのサーボホールド部３４はサンプルホールド信号に応じて、サーボ信号生成部３５から供給されているサーボエラー信号をサンプルホールドすることにより、マーク形成時／非形成時のサーボエラー信号の信号レベル変化を排除する。
【００４１】
かくしてこの光ディスク装置３０も、再生時におけるディフェクトの影響や記録時における光ビームの光量変動の影響を排除して、安定したサーボ動作を行うようになされている。
【００４２】
以上の構成において、この光ディスク装置３０では、ディフェクトの検出に応じたディフェクト信号と、マーク形成タイミングに応じたサンプルホールド信号の双方に基づいて、信号処理部３１のサーボホールド部３４がサーボエラー信号をサンプルホールドし、当該サンプルホールド後のサーボエラー信号を用いてサーボ信号処理部３３がサーボ制御信号を生成するようにした。
【００４３】
このため、再生時におけるディフェクトの影響を排除するための機能と、記録時における光ビームの光量変動の影響を排除するための機能とを、信号補正手段としてのサーボホールド部３４が一括して行うことができ、これにより、従来の光ディスク装置１（図３）のサーボ信号生成部１５が有していたサンプルホールド機能を廃して、光ディスク装置３０の構成を簡素化することができる。
【００４４】
以上の構成によれば、信号処理部３１のサーボホールド部３４が、ディフェクトの検出に応じたディフェクト信号及びマーク形成タイミングに応じたサンプルホールド信号の双方に基づいてサーボエラー信号をサンプルホールドし、サーボ信号処理部３３に供給するようにしたことにより、簡易な構成で、再生時におけるディフェクトの影響及び記録時における光ビームの光量変動の影響を排除することができる。
【００４５】
（３）他の実施の形態
なお上述の第１及び第２の実施の形態においては、ＲＦフロントエンド部２２のサーボ信号生成部２４又は信号処理部３１のサーボホールド部３４が、ディフェクト信号及びサンプルホールド信号に基づいてサーボエラー信号をサンプルホールドすることにより、ディフェクトやマーク形成時におけるサーボエラー信号の信号レベル変化を排除し、安定したサーボ動作を行うようにしたが、本発明はこれに限らず、信号補正手段としてのサーボ信号生成部２４又はサーボホールド部３４が、ディフェクト信号及びサンプルホールド信号に基づいてサーボエラー信号がローパスフィルタを通過するようにすることにより、当該サーボエラー信号の高周波成分を遮断してディフェクトやマーク形成の影響を排除するようにしてもよい。
【産業上の利用可能性】
【００４６】
本発明の光ディスク装置は、記録及び再生の双方を行う用途に適用することができる。
【図面の簡単な説明】
【００４７】
【図１】第１の実施の形態の光ディスク装置の構成を示すブロック図である。
【図２】第２の実施の形態の光ディスク装置の構成を示すブロック図である。
【図３】従来の光ディスク装置の構成を示すブロック図である。
【図４】ディフェクト通過時の信号波形を示す略線図である。
【図５】マーク形成時におけるサンプルホールドの説明に供する略線図である。る。
【符号の説明】
【００４８】
１、２０、３０……光ディスク装置、２……制御部、３、２１、３１……信号処理部、４、２２、３２……ＲＦフロントエンド部、５……サーボ制御部、８……データデコード部、９……データエンコード部、１０、３３……サーボ信号処理部、１１……ディフェクトホールド部、１２……ウォブル信号処理部、１３……レーザ制御部、１４……データ信号生成部、１５、２４，３５……サーボ信号生成部、１６、２３、３６……ディフェクト信号生成部、１７……ウォブル信号生成部。
【図４】
2006079674.tif 000003
【図５】
2006079674.tif 000004
【図１】
2006079674.tif 000005
【図２】
2006079674.tif 000006
【図３】
2006079674.tif 000007